(57)【要約】【課題】  流体の流れの制御など多くの状況でラッチとして、スイッチもしくはリレーその他同様のものとして用いられる容易に操作可能かつ正確に制御可能の頑丈な機械式のアクチュエータを提供すること。【解決手段】  アクチュエータ機構は、弾性的なバネ部材に一体的に結合されたレバーアームによって形成されている。レバーアームは、第１の位置と第２の位置との間で可動であり、近接部材をレバーアームに対して静止の位置に留めるように、例えば、液密の密閉関係を与えるために、通常、アクチュエータが近接部材と係合することが可能の前記第１の位置へ偏奇されている。レバーアームの第２の位置への運動は近接部材との係合を解く。一実施例において、アクチュエータは、レバーアーム及びバネ部材の両方を形成するために、１つの部材を貫通する互いに対向しかつ重なる一対のスロットによって形成される。レバーアームは作動されたときシーソー様式で揺動し、レバーアームの両端は働きを実行するために用いることができる。
2005510664.tif 000002
【特許請求の範囲】
【請求項１】
第１の本体であって、該第１の本体に一体的に形成されたレバーアームを有する第１の本体と、
前記第１の本体に近接する第２の本体であって前記第１の本体に対して可動の第２の本体とを含み、
前記レバーアームは、バネ部材に一体的に結合され、自由端及び作動端と、前記自由端に位置する留め部材とを有し、
前記レバーアームは、前記第１の本体と前記第２の本体との間の相対運動を防止するように前記留め部材が前記第２の本体と係合する第１の位置と、前記第２の本体が前記第１の本体に対して運動するように前記留め部材が前記第２の本体から離れる第２の位置との間で可動である、アクチュエータ。
【請求項２】
前記第１の本体は、第１及び第２の側壁であってこれらの側壁間にスロットを形成するように離隔の配置に保たれた互いに対向する第１及び第２の側壁を含み、前記第２の本体は、前記スロット内の第１の位置と第２の位置との間で可動の手段として形成され、前記留め部材は、該留め部材が前記第１の位置にあるとき前記第２の本体の部材と係合して前記第２の本体の部材を前記第１の位置に保つ、請求項１に記載のアクチュエータ。
【請求項３】
前記レバーアームと前記バネ部材とは単一材料片から形成されている、請求項１に記載のアクチュエータ。
【請求項４】
前記レバーアームの両側に位置するように前記レバーアームに一体的に結合された、前記自由端に近接する一対のバネアームを含む、請求項１に記載のアクチュエータ。
【請求項５】
前記測壁と前記留め部材とは単一材料片で形成されている、請求項４に記載のアクチュエータ。
【請求項６】
前記測壁と前記留め部材とは、連結された別個の材料片で形成されている、請求項４に記載のアクチュエータ。
【請求項７】
前記レバーアームは通常前記第１の位置にある、請求項１に記載のアクチュエータ。
【請求項８】
前記レバーアームの内側の中間に支点を含む、請求項１に記載のアクチュエータ。
【請求項９】
前記レバーアームは前記測壁の一方に支持されており、また、前記レバーアームは、細長いレバーアームであって該細長いレバーアームの一端に作動部分を有しかつ他端に上昇部分を有する細長いレバーアームを形成するように前記測壁を実質的にＵ字状に貫通して形成されたスロットによって形成され、前記細長いレバーアームに一体的に形成された一対のバネアームが前記スロットによって前記測壁に形成されている、請求項２に記載のアクチュエータ。
【請求項１０】
前記側壁は単一片である、請求項９に記載のアクチュエータ。
【請求項１１】
前記側壁は、連結された別個の片によって形成されている、請求項９に記載のアクチュエータ。
【請求項１２】
前記測壁を貫通し、前記第１のＵ字状のスロットに対して反対方向にかつ前記第１のＵ字状のスロットと重なり関係で向けられた第２のＵ字状のスロットを含み、前記Ｕ字状のスロットの１つが他のＵ字状のスロットの内方に向けられ、前記重なるＵ字状のスロットの腕の重なり部分が前記バネアームを形成する、請求項９に記載のアクチュエータ。
【請求項１３】
第１の本体に枢動可能に取り付けられた、第１の位置と第２の位置との間で可動のレバーアームと、
通常前記第１の位置にある前記レバーアームを前記第２の位置へ運動させることに対抗する抵抗力を与えるように前記レバーアームに一体的に結合されたバネとを含む、作動機構。
【請求項１４】
前記レバーアームと前記バネ部材とは単一材料片から形成されている、請求項１３に記載のアクチュエータ。
【請求項１５】
前記レバーアームの両側に位置するように前記レバーアームに一体的に結合された、前記自由端に近接する一対のバネアームを含む、請求項１に記載のアクチュエータ。
【請求項１６】
前記レバーアームに近接する支点であって前記レバーアームの長さ方向の中間にある支点を含む、請求項１３に記載のアクチュエータ。
【請求項１７】
レバーアームとバネとを形成する単一の本体部材を含み、
前記レバーアームは第１の位置と第２の位置との間で枢動可能であり、
前記バネは、通常前記第１の位置にある前記レバーアームを前記第２の位置へ運動させることに対抗する抵抗力を与えるように前記レバーアームに一体的に結合されている、作動機構。
【請求項１８】
前記レバーアームは自由端と作動端とを含み、前記自由端は、前記第１の位置で近接部材と係合し、前記第２の位置で前記近接部材の係合を解く、請求項１７に記載の作動機構。
【請求項１９】
前記レバーアーム及び前記バネは、前記単一の本体部材を貫通して形成された一対のスロットによって形成されている、請求項１７に記載の作動機構。
【請求項２０】
各スロットは、互いに対向する腕セクションを有する実質的にＵ字状のスロットとして形成され、両スロットは、一方のスロットの前記対向する腕セクションが他方のスロットの前記対向する腕セクションと重なるように互いに反対方向に向けられている、請求項１９に記載の作動機構。
【請求項２１】
本体であって、該本体に形成されたレバーアームを有する本体を含み、
前記レバーアームは、該レバーアームに一体的に結合された互いに対向するバネ部材を有し、自由端と作動端とが形成されている、アクチュエータ。
【請求項２２】
前記自由端が近接する第２の本体と係合する第１の位置と前記自由端が前記第２の本体から離れる第２の位置との間で前記レバーアームが可動であるように前記第２の本体に結合されている、請求項２１に記載のアクチュエータ。
【請求項２３】
前記本体は１つの単一材料片を含む、請求項２１に記載のアクチュエータ。
【請求項２４】
前記レバーアームの長さ方向の中間に対応するように前記第２の本体に支点を含む、請求項２２に記載のアクチュエータ。
【請求項２５】
前記レバーアームは、前記本体に形成された第１のＵ字状スロットによって形成されている、請求項２１に記載のアクチュエータ。
【請求項２６】
前記測壁を貫通し、前記第１のＵ字状のスロットに対して反対方向にかつ前記第１のＵ字状のスロットと重なり関係で向けられた第２のＵ字状のスロットを含み、前記Ｕ字状のスロットの１つが他のＵ字状のスロットの内方に向けられ、前記重なるＵ字状のスロットの腕の重なり部分が前記バネアームを形成する、請求項２５に記載のアクチュエータ。
【請求項２７】
前記第２の本体に流体ポートを含み、前記レバーアームが前記第１の位置にあるとき前記流体ポートを流動に対して塞ぐ、請求項２２に記載のアクチュエータ。
【請求項２８】
前記ポート内の流体圧力は前記レバーアームを前記第２の位置内へ運動させる、請求項２７に記載のアクチュエータ。
【請求項２９】
前記レバーアームは、前記ポート内の流体圧力が予め決められた値より低いとき前記第１の位置にある、請求項２７に記載のアクチュエータ。
【請求項３０】
前記レバーアームは、前記ポート内の流体圧力が予め決められた値に達したとき前記第２の位置内へ運動する、請求項２８に記載のアクチュエータ。
【発明の詳細な説明】
【技術分野】
【０００１】
本発明は、一般に、作動機構に関し、特に、流体の流れの制御など多くの状況でラッチとして、スイッチもしくはリレーその他同様のものとして用いられる容易に操作可能かつ正確に制御可能の頑丈な機械式のアクチュエータに関する。
【背景技術】
【０００２】
作動及びラッチ機構は、これらの機構が機械的利点を与えることから様々な場所や状況で用いられる。一般的に言えば、アクチュエータでは、ある働き又は動きを開始するために、換言すれば、ある動作を作動するために機械的リンク機構が用いられる。ほとんどのラッチには、近接構造であって該構造の少なくとも１つが前記構造の別の１つに対して可動の前記構造を選択的に結合及び解除するようにアクチュエータのような機械的構造が組み入れられる。簡単に表現すれば、ラッチ機構は、近接構造の相対運動を防止するために前記構造を互いに結合し、また、２つの近接構造の相対運動を許すように前記構造の結合を解除する。
【０００３】
種々の作動及びラッチ機構が、これら作動及びラッチ機構の用途の数とほぼ同じ数だけ存在する。実際に、これらの機構のために非常に多種多様の構造設計があり、これらのすべてを述べることは不可能である。しかし、そのような機構を任意の妥当な方法で一般化することができるとき、前記機構は、構造の一部に結合されたある種類の機械的リンク機構すなわちアクチュエータリンク機構を含むということができる。アクチュエータは、通常の静止位置と作動位置との間で可動である。静止位置においては、アクチュエータは、典型的には、いかなる働きをも開始又は許容しない。例えば、ラッチの場合において、静止位置においては、ラッチは、近接構造の共同部分と選択的に係合される。作動位置においては、アクチュエータは、働きを開始するために静止位置外へ動かされている。再び、ラッチを参照するに、アクチュエータは、近接構造が互いに対して運動するようにラッチが前記構造から係合を解くために静止位置外へ運動される。アクチュエータは、このように、アクチュエータが近接部材と係合するラッチ位置とアクチュエータが近接部材から係合を解く非ラッチ位置との間で可動である。非ラッチ位置において、前記２つの部材は、互いに関して常に可動であるわけではない。アクチュエータと第２の部材との相対運動を許すことによって、アクチュエータは、アクチュエータと第２の部材との間の係合が解かれた第２の位置へ可動である。アクチュエータは、しばしばある種類のバネ又は同様の偏奇機構によって、しばしば、第１の位置及び第２の位置のいずれか一方（一般には「ラッチをされた」位置）に弾性的に偏奇される。
【０００４】
機械式のラッチは、至るところにあり、多種多様の装置で用いられている。種々の設計によるラッチが用いられる多くの商品のほんのいくつかについて示せば、ラッチは、カメラ、楽器、小火器、エンジン、刃物類及びコンピュータで用いられる。換言すれば、ラッチは、近接構造を選択的に係合及び解除する必要性がある実質的にすべての状況で用いられる。
【０００５】
ラッチは、作動機構が用いられる何千もの装置のほんの一例である。他の例には、流体の流れの制御に係るものがある。例えば、弁すなわちバルブは、該バルブが働きを選択的に開始する、すなわち、バルブが流体の流れを開始及び停止することから、アクチュエータとして分類分けされる。リードバルブは、機械式のアクチュエータに依存する、よく知られたタイプの流体制御バルブである。この種類のバルブでは、花弁がバルブケースのポートを塞ぐようにバルブケースに取り付けられたバルブ花弁が用いられる。この花弁は、典型的には、可撓性の金属からなり、また、この花弁では、ポートの周りの液密の密閉を確実にするために花弁とバルブケースとの間に密閉リップがしばしば用いられる。バルブ花弁は、ポートを経て移動する流体の圧力下で開くように設計されており、ポート内の圧力が予め決められた量に達したとき、金属製の花弁は、バルブを開いて流体の流れを許すべくバルブケースに対する密閉係合状態から離れるように曲がる。ポート内の圧力が予め決められた値より低い値に減じたとき、花弁は密閉位置にあるように閉じる。
【０００６】
リードバルブは、比較的容易に製造されかつ安価であり、２ストロークエンジンその他同類のものにしばしば好都合に用いられている。しかし、リードバルブは、流体の流れについてさらに良好な制御が必要ないくつかの状況において必要とされる精度及び正確性に欠く傾向を有する。
【０００７】
多くの異なった種類の作動機構が従来より知られているにもかかわらず、例えば流体の流れの正確な制御を可能にする作動装置、近接する構造又は部品が確実にラッチをされ又は留められ及び留め位置から選択的に解除されることを可能にする作動装置等のさらに非常に多くの種類の作動装置についての要求がある。
【発明の開示】
【課題を解決するための手段】
【０００８】
本発明は、機械式の作動が必要なあらゆる状況での使用のための作動機構を提供する。そのような作動に係るアクチュエータが用いられる多くの状況の中で注目すべきは、流体の流れの制御、ラッチ、電気リレー及びスイッチである。本発明に係る機構は、従来技術に係るものとは構造に関して異なる。それは、機械的に簡潔で、頑丈で信頼でき、操作が容易であり、多目的に使用でき、また、美的魅力を有する。
【０００９】
前記アクチュエータは、機械的な働きを開始すること、例えば、流体の流れを制御すること又は２つの異なる部材もしくは構造を結合及び解除することの必要性がある実質的にすべての状況に適合可能である。しかし、前記アクチュエータを、機械式のアクチュエータを必要とする他の多くの装置に用いてもよい。本発明に係るアクチュエータの実用的な応用は無数にある、すなわち、言及しきれないほど多くある。
【００１０】
アクチュエータは、１つの構造的コンポーネントの一体部分であるか又は１つのコンポーネントに結合された単一材料片によって形成されている。１つの好ましい実施例において、前記コンポーネントの１つのセクションは、対向しかつ重なる全体にＵ字状の一対のスロットが形成されたパネルを形成する。前記パネルは弾性材料で形成されている。一対のスロットは、これらの結合により、対向配置のバネアームに一体的に結合された枢動可能のレバーアーム機構を形成するように重なっている。パネルの中央セクション、すなわち、レバーアームが一方向に押されたとき、レバーアームの反対の自由端は反対の方向に運動する。これにより、レバーアームが揺動運動で運動する、すなわち、レバーアームの一端が一方向に運動し、レバーアームの他端が他の方向に運動することが生じる。このシーソー運動は働きを開始する、すなわち、作動させるために用いることができる。例えば、レバーアームの一端は、静止位置において、流体を含むための近接ポートに対して相対的に密閉位置にあるとすることができる。ポート内の流体圧力が予め決められた値を超えたとき、レバーアームは、バルブを開けてポートを経る流体の流れを生じさせるように静止位置又は閉じ位置の外へ運動する。シーソー運動は、望むならば、他の働きを開始するために用いることができる。このように、アクチュエータが運動したときレバーアームの両端が運動するので、前記両端を、適当なリンク機構によって、ある第２の働きを開始するために用いてもよい。
【００１１】
他の例として、留めピンが近接構造と係合するように前記構造の方へ伸びるレバーアームに留めピン又は同等の構造が支持されている場合を挙げる。前記パネルが弾性的であるので、留めピンは、通常は第２の構造の方へ偏奇される。２つの近接構造（すなわち、アクチュエータを支持する構造と、アクチュエータが係合する近接構造とをいう。）が閉じ位置にあるとき、留めピンは、２つの近接構造の共同により形成される部分と係合して２つの構造を第１の又は「留め」位置に留め、互いに対する運動を防止するように２つの構造を掛け留める。レバーアームの自由端を枢動又は揺動するためにアクチュエータの一端を一方向に押すことによってレバーアームを作動させることにより２つの構造の相対運動を許し、これにより、近接構造の共同により形成される部分との係合が解かれるように留めピンを運動させるように、構造は互いに留めを解放されている。このように、２つの構造の間の相対運動を許すように、留めピンと近接構造との間の係合が解かれる。
【００１２】
同様に、本発明は、近接する可動の構造に関係なく、アクチュエータが必要なシステムにおいて具体化することができる。これにより、本発明に係る弾性的なアクチュエータは、バネ偏奇によるアクチュエータが必要なあらゆる状況において用いることができる。
【００１３】
レバーアームによる作動及び作動機構は種々の異なる形状で形成することができ、前記機構は、任意に、レバーアームを支持する本体と近接又は隣接構造との間に配置された支点と結合して用いられてもよい。
【発明を実施するための最良の形態】
【００１４】
図面、特に、図１を参照するに、作動機構は、該作動機構が用いられる多くの実施形態の１つにおいて示されている。以下に説明されるように、本発明が多くの種々の用途に応用可能であり、また、本発明が、本発明に係る機構をある特定の構造に用いることに限定されるものではないことは、当業者であれば容易に理解することができる。しかし、アクチュエータ及びアクチュエータの動作形態を十分に説明するために、図面に示す特定の実施例に関連してアクチュエータについて開示する。
【００１５】
図１において、アクチュエータ１０が、本体半分間に形成されたスロットに含まれる滑動部材１４を含む本体１２において具体的に示されている。アクチュエータ１０は、前記本体に対する滑動部材１４の運動を可能にするために、前記滑動部材の選択的な係合及び非係合を可能にする。滑動部材１４は、該滑動部材が本体１２に関して可動の、図１に示す伸張位置と、前記滑動部材が本体１２内に受け入れられる、図２に示す閉位置との間で可動である。
【００１６】
図１、図２を参照するに、本体１２は、全体として右側壁１６及び左側壁１８として示される、対向して配置された一対の側壁セクションを含む、いくつかのコンポーネントを含む。両側壁は全体として互いに平行になるように向けられており、背部２０が両側壁セクション間に配置されている。背部２０は、両側壁セクションが離隔配置の関係を有するように前記両側壁セクションを離し、これにより、滑動部材１４を受け入れるための溝又はスロットが両側壁セクション間に形成される。図３に最もよく示すように、内板２２が、側壁１６と並んで側壁１６の内方であって側壁１６と背部２０との間に配置されている。
【００１７】
本体１２が組み立てられたとき、背部２０は、内板２２及び側壁１６と側壁１８との間に配置され、また、図３に示すように両側壁セクションの上端縁及び下端縁に沿って伸びる。ネジ２６のような適当な締め具が、側壁１６、１８と背部２０と内板２２とを共に保持するために用いられる。以下に説明するように、側壁１６は、作動機構を支持しており、バネ鋼のような弾性材料から作られる。しかし、チタン、種々のプラスチック等の他の適当な材料を用いてもよい。同様に、側壁１８及び内板２２は、マイカルタ（Ｍｉｃａｒｔａ）（登録商標）のような強化硬質合成プラスチックを含む、同様な種類の材料から作ることができる。
【００１８】
側壁セクション１６、１８と背セクション２０とにより、部材１４が該部材の閉位置へ動かされたとき部材１４を受け入れるためのスロット２７（図３を参照。）が形成される。部材１４は、滑動部材として任意に示されており、本発明をアクチュエータにおいて具体化したものとして単に図示するためである。他の任意の特定の構造をするアクチュエータが用いられるか否かにかかわらず、本発明がアクチュエータ１０に適用されることは、当業者であれば容易に理解することができる。本体１２内での部材１４の滑動運動を容易にするために、背部２０には、内方に面する肩部２４を含む中央開口のスロット２７が形成されている。組み立てられたとき、肩部２４は、肩部２４と共同するように部材１４に形成された外方に面する肩部２８と係合する。部材１４は、本体１２内を滑動するとき、両肩部が互いに接するまでスロット２７内を長手方向に自由に運動することができる。これは、部材１４が本体１２から抜け出ることを防止する。
【００１９】
図１から図３を参照するに、つまみ３０は、側壁１６内に形成された細長いスロット３２を経て伸び、部材１４に（例えば、図３に示すようにネジで）取り付けられている。つまみ３０は、例示の目的のためのみであり、アクチュエータ１０が部材１４との係合を解いたときの図１に示す伸張位置と、図２に示す戻ったときの引き込み位置との間で部材１４がいかに運動されるかを示すために図示されている。
【００２０】
作動機構
【００２１】
作動機構についての好ましい第１の実施例を図１から図５に示し、全体に参照番号６０で示す。作動機構６０は、掛け留め及び掛け留めを解くこと、物を互いに対して相対的に解放及び固定すること又は開口を単に開き及び閉じることのために、機能に関して非常に多用途な簡潔かつ簡単な機械的装置を含む。これについて、本体１２内で滑動する部材１４に関係する好ましい実施例に関連して以下に説明する。設計の柔軟性又は多能性について、当業者であれば容易に理解することができる。さらに、明細書で説明する好ましい実施例と同一又は同等の機械的又は構造的な原理を用いる作動機構は、非常に多くの形状にて組み立てることができる。これらの代替例のいくつかについて説明する。しかし、以下に説明しかつ図に示す機構と同等の他の設計変更をすることができる点について、当業者であれば容易に理解することができる。
【００２２】
図１を参照するに、また、以下の説明のように、作動機構６０は、バネアームに一体的に結合されたレバーアームによって特徴づけられる。この機構は、好ましくは、単一材料片又は同様のものから作られ、また、レバーアーム及びバネアームは、前記機構が作られる材料によって形成され、バネアームに一体的に結合されるように作られる。好ましい一実施例において作動機構は単一材料片から形成されているが、作動機構は、互いに結合された複数の片から作られてもよい。したがって、用語「単一（ｕｎｉｔａｒｙ）」は、一つの材料片から作られた機構を参照するか又は相互に接続された片が一つの片として動作することを可能にするように適当な方法で結合された複数の片から作られる機構を参照することが理解される。通常の解かれた又はニュートラルの位置においては、バネ縣架された作動機構は、図１に示すように、留め位置にある。作動機構が作られる材料は、作動機構に作用される外力がないとき前記材料がニュートラルの位置に戻るように「記憶」を有する。レバーアームの一端は、作動機構が留められたとき、アクチュエータを支持する本体の部材に対して不動の近接部材と係合するための留めピン又は同様のものを支持する。留めピンを支持するレバーアームの端部は、レバーアームの反対の端部に作用された圧力に応答して本体から離れるように枢動される。他の言い方で述べれば、レバーアームの一端が一方向に押されたとき、レバーアームの反対の端部は反対の方向に運動する。この機械的リンク機構は、機械的利点を与えるために用いられ、例えば、アクチュエータに対して相対的に部材を留め及び留めを解くために用いられる
【００２３】
図１から図５の実施例において、レバーアームの自由端が留めピンを該留めピンが静止又は留めの位置から離れるように上昇又は揺動させることの支援のために、支点はレバーアームの内方に位置している。
【００２４】
作動機構６０は、図１から図５においては、側壁１６に形成された全体にＵ字状の互いに重なる一対のスロットによって形成されている。前記したように、側壁１６は、バネ鋼のような弾性材料から作られるが、プラスチックを含む多くの種々の弾性材料を用いて作られてもよい。側壁１６は、好ましくは、望ましい形状に切断加工された単一鋼片である。全体にＵ字状の一対のスロットは、側壁を完全に貫通して形成されている。第１のスロット又は内スロット６２は、Ｕ字の「開き」部分が本体の「前」端部、すなわち、部材１４が経て伸びる本体の端部の方に向くように側壁１６において方向づけられている。第２の又は外スロット６４は、該スロットの、反対方向すなわち本体の後方に向けられた開き部分で、内スロット６２を覆うように重なる。対向しかつ重なるＵ字状のスロットのこの組合せにより、中央レバーアーム６６が形成され、また、中央レバーアーム６６の両側の、対向するスロットが重なる部分に、２つの対向するバネアーム６８、７０が形成される。２つのバネアームは側壁１６の同一の１つのセクションから形成されており、これにより、２つのバネアームは中央レバーアームに一体的に結合されている。結合された重なりスロットの最前端部、すなわち、本体の前端の方の側壁１６の部分でありかつ外スロット６４のＵ字に接する側壁１６の部分は、参照番号７２と付され、上昇部分７２を形成する。上昇部分７２は、図１に示す静止位置から離れるように上昇されるので、作動機構の自由端を形成する。結合されたスロットの最後端部、すなわち、内スロット６２のＵ字に接する中央レバーアーム６６の部分は、参照番号７４と付され、作動部分７４を形成する。留めピン７６は、上昇部分７２に支持され、本体１２内で部材１４の方へ伸びる。留めピンは、図示のように上昇部分に結合された別個の部品であってもよいし、曲げタブのような多くの形状のいずれかであってもよい。
【００２５】
図３を参照するに、内板２２は開口７８を有する。開口７８は、中央レバーアーム６６の作動部分７４と共同するような形状にされており、図７からわかるように、開口７８は、作動部分７４が内方に運動されたとき、すなわち、作動されたとき作動部分７４が開口内に入るように作動部分７４より大きな寸法に形成されている。側壁１６が内板２２と共に組み立てられたとき、中央レバーアーム６６の作動部分７４は開口７８と整列する（図７）。開口７８の最前端部は参照番号８０が付与されている。側壁１６及び内板２２が組み立てられたとき、端部８０は、該端部が中央レバーアーム６６に近接又隣接して位置する又は中央レバーアーム６６の長さ方向のほぼ中間の中央レバーアーム６６の内方に位置するように配置されている。
【００２６】
図４を参照するに、作動機構６０の作動は明らかであろう。中央レバーアーム６６の作動機構７４に矢印Ａの方向に作用された圧力は、本体１２の中央の内方すなわちスロット２７の方へ作動部分を駆動する。同時に、レバーアームの自由端すなわち上昇部分７２は、反対方向すなわち図４の矢印Ｂの方向に運動する。内板２２の最前端部８０は、中央レバーアーム６６が枢動する支点として機能する。作動部分７４が矢印Ａの方向に内方への運動をしたとき、作動部分は内板２２の開口７８内へ押される。内板２２の幅は、作動部分７４が運動するさらに長い距離と、上昇部分７２が移動する前記距離に対応するさらに長い距離とを提供する。上昇部分７２が矢印Ｂの方向に運動する前記距離に対応する距離は、この場合においては、端部８０によって形成された支点の位置によって、また、作動部分がスロット２７の方へ押される距離によって決定される。別の言い方によれば、図４に示すように配置された端部８０（中央レバーアーム６６の長さ方向のほぼ中間）によって、作動部分７４の方向Ａへの距離Ｘを越える運動は、上昇部分７２の方向ＢへのほぼＸの運動に対応する。端８０が前方に（例えば、留めピン７６の方に）上昇されるように開口７８が拡大されたとき、作動部分７４の方向Ａへの距離Ｘを越える運動は、結果として、上昇部分７２の方向ＢへのＸよりやや小さい対応する運動になる。この場合、作動部分を内方に駆動させるために必要な力の量が、図４に示す場合における量よりも相対的に少ないことは容易に理解される。他方、端部８０が後方に（例えば、留めピン７６から離れるように）上昇されるように開口７８が寸法において減少されたとき、作動部分７４の方向Ａへの距離Ｘを越える運動は、結果として、上昇部分７２の方向ＢへのＸよりやや大きい対応する運動になる。この後者の場合、作動部分を内方に駆動させるために必要な力の量が相対的に大きいことが理解される。
【００２７】
上昇部分７２の「行程」すなわち上昇部分７２が移動する距離は、中央レバーアームに対する端部８０の位置によって調整することができる。内板２２の厚さを変えることによって上昇部分の行程が同様に変化することが理解される。
【００２８】
前記したように、側壁１６は、バネ鋼のような弾性材料から作られる。図１から図５に示す実施例において、作動機構６０の通常の静止位置は、中央レバーアーム６６が本体の外側に出されるようになっている（図１、３及び３）。側壁１６が弾性的であるので、作動部分７４に方向Ａ（図４）に作用された圧力は、前記したようにレバーアームに一体的に取り付けられた対向するバネアーム６８及び７０の偏奇抗力によって抵抗されている。この偏奇抗力（バネ力）の量は、これらの対向するレバーアームの相対的な幅によって、また、側壁自体を作るために用いられる材料の厚さによって調整されてもよい。作動機構６０を作動させるために必要な力は、前記要因を変えることによって変化させてもよい。さらに、作動機構６０を単一材料体から作ることが好ましいが、同等の作動機構を、共に結合された複数の部品から作ってもよい。
【００２９】
部材１４を有する作動機構６０の動作の詳細に関して、穴８２が内板２２に形成され、共同するように形成された穴８４が部材１４内に形成されていることは、図３からわかる。本体が組み立てられたとき、穴８２及び８４は整列され、留めピン７６は、部材１３との係合関係を有するように各穴を経て伸びる。第２の穴８６が部材１４の穴８４の後方側に形成されている。部材１４が引き込み位置にあるとき、留めピン７６は、穴８２内に伸び、前記したように、部材を本体１２に対して留める。作動機構６０の弾性的偏奇作動はこの留めの位置を維持し、これにより、部材は、引き込み位置に確実に留められる。部材１４は、作動機構が部材を本体に関して留めを解くように作動されるまで、引き込み位置にとどまる。これは、留めピン７６が穴８２から離れるか又は非係合になる十分な距離を留めピン７６が矢印Ｂの方向に運動されるまで矢印Ａの方向（図４）に圧力が作用されることによって達成される。この点で、部材１４は、スロット２７内で、図７の実線で示す第２の又は伸張の位置へ自由に滑動される。部材１４は、部材１４の本体１２に対するさらなる運動を防止するために肩部２４及び２８が互いに接するまで伸張位置の方へ滑動される。肩部２４及び２８が接したとき、留めピン７６は部材１４の穴８６と整列する。留めピンが穴と整列されたとき、作動機構の偏奇力は留めピンを開口内へ押し、これによって、留め部材１４を伸張位置へ押す。
【００３０】
部材１４は、留めピン７６が開口８６から離れる又は非係合になるまで作動機構を再作動させることによって、伸張位置から引き込み位置へ運動される。部材は、次いで、図７に想像線で示す引き込み位置に位置するまで、スロット２７（つまみ４４を有する。）内を内方に自由に滑動される。この点で、留めピンは部材１４の穴８４と係合し、前記部材は、本体１２に対して相対的に引き込み位置内に留められる。図に示す特定の留めピン７６はその断面において円形であるが、該ピンは、部材１４の共同するように形成された部分と係合可能の実質的にすべての形状とすることができる。
【００３１】
前記したように、本発明に係る作動機構は、図１から図５に示すような構造上の組合せに限定されない。むしろ、これらの図に示す実施例は、アクチュエータ６０の基本的な構造を示すためである。前記したアクチュエータ６０の好ましい実施例と同等である代替の実施例が多数ある。例えば、内板２２は任意であり、支点を提供するために、また、例えば留めピンの移動を増加させる行程距離を提供するために用いられる。この場合において、中央レバーアーム６６の作動部分７４は、作動部分が側壁で追い出されないように側壁１６から離れるように外方に曲げられる。この構造は、内板の開口７８の除去又は内板と共の除去を可能にし、さらに、留めピンは、前記したように留め及び留めの解除を可能にするために十分な距離を経て運動される。したがって、中央レバーアーム６６の作動部分７４が外方に曲げられたとき、レバーアームは、レバーアームの内方の面と接する位置で支点として作動する。面それ自体は、アクチュエータの腕の内に向かう面と接する位置で支点として機能する。さらに、外方に曲げられた作動部分によって、作動機構は、レバーアームの自由端を静止の留め位置外に上昇させるために、下に面を有しない場合でさえ、十分な力を有する。すなわち、下に面を有しない場合においても、作動分を内方に押すことにより、上昇部分７２は、作動機構の留めの解除をもたらすように反対の方向に運動される。
【００３２】
アクチュエータが係合する（部材１４のような）本体及び近接構造の両方に対する作動機構の位置及び方向が広範囲に変化することは、当業者であれば容易に理解することができる。例えば、部材を伸張位置及び引き込み位置に留めるために用いられる特定の構造は、同じ基本的な作動機構で広範囲に変化することができる。同様に、前記機構が種々の方法で本体の範囲内で方向づけされてもよい。一例として、中央レバーアームによって形成された長手方向の軸線は、本体の長手方向の軸線又は任意の他の方向を横切る方向に向けられる。さらに、中央レバーアームの上昇部分は、それ自体が、近接する可動部材を係合するために用いられてもよい。この構造において、レバーアームの自由端は、共同するように部材に形成された端部と前記自由端とが係合関係にあるように、通常、係合される部材の方へ内方に伸びる。レバーアームの作動部分を作動させることにより、上昇部分は、部材の留めを解くように係合関係の外に上昇される。さらに、部材係合ピン（留めピン７６のような）は、ブレードの穴とは異なる任意の好都合の位置に近接部材１４を係合する。
【００３３】
今説明した基本の機械的特徴を有して構成された、本発明に係るアクチュエータは、ポートを経る流体（例えば、液体、蒸気、気体）の流れを制御するために用いてもよい。図６、図７を参照するに、アクチュエータ１１は既に説明した構造と同様の構造を含むことがわかる。具体的に、アクチュエータ１１は、バネ鋼のような可撓性の弾性材料又はフェノール樹脂、ガラス強化エポキシ及び同類の他の材料のような可撓性の弾性材料からなる１つの板１３から形成されている。図６、図７に示す実施例において、１つのＵ字状のスロット１５は、中央レバーアーム１７と、中央レバーアームに一体的に結合された２つの対向するバネアーム１９及び２１とを形成するように板１３を貫通して形成されている。Ｕ字状のスロット１５の閉端部の位置にあるレバーアーム１７の端部は作動部分２３を形成し、中央レバーアーム１７の上昇部分２５は反対の自由端の位置にある。ネジ２７により、作動部分２３に近接する板１３の端部が近接する下バルブケース２９に取り付けられる。バルブケース２９は、アクチュエータ１１の上昇部分２５の下に位置する流体ポート３１を含む。
【００３４】
アクチュエータ１１の上昇部分２５は、図６に示す通常の静止又は留めの位置にあるとき、流体ポート３１との液密密閉された係合状態にある。言い換えれば、静止位置にあるとき、バルブは閉じられ、アクチュエータの上昇端はバルブケースと係合する。液密密閉を容易にするために、特定の環境条件に適した材料からなるガスケットを上昇端２５に追加してもよい。バルブケース２９は、中央レバーアーム１７の作動部分２３のすぐ下方に配置された開口３３を有する。開口３３の一端３５は、中央レバーアーム１７のための支点として機能する。板１３は、レバーアーム１７の作動部分２３が作動時に開口３３内へ下方に運動するように、バルブケース２９に取り付けられている。
【００３５】
アクチュエータ１１は、ポート３１を経る流体の流れを制御するためにいくつかの方法で作動されてもよい。例えば、アクチュエータは、ポート３１内の流体の圧力が予め決められた値に達するか又はその値を超えたとき、ポート内の内部圧力が上昇端２５を密閉位置外に（図７の矢印Ａの方向に）押すように「調整され」てもよい。これによりバルブが開き、流体がポート３１を経て流れる。ポート３１内の流体圧力は、任意の適当な手段によって、アクチュエータが用いられている装置に供給される。上昇端２５が密閉位置外へ運動する距離は、開口３３の深さとレバーアーム１７の長さ方向の端部３５の位置とを含むエレメントの組合せによって決められる。ポート３１内の流体圧力が、予め決められた値より低く減少したとき、バネアーム１９及び２１の偏奇力は、上昇端２５を、静止の閉及び密閉の位置内に戻るようにさせる。バルブを開くために必要な圧力の量は、任意の方法によって、例えば、バネアームの厚さ、アクチュエータを作るために用いられる材料、支点の位置及び他の同等の手段によって「調査する」ことができる。これに代えて、ポート３１を経る流体の流れを、レバーアーム１７の作動端２３に作用された機械的力で「開始」してもよい、例えば、図１７の矢印Ｂの方向に運動するプッシュロッドで開始してもよい。
【００３６】
アクチュエータ１１のシーソーの揺れ運動は、ポート３１を経る流体の流れを作動部分２５の運動によって選択的に開始又は停止させるために用いることができる。しかし、上昇部分２５が運動したとき、レバーアーム１７の反対端部（作動端部２３）は反対方向に運動する。作動端のこの運動は、他のある働きを完遂するために有利に用いられる。例えば、作動端は、同様に働きを開始するために他の構造に機械的に連係されてもよい。これに代えて、作動部分２３は、それ自体、ポート３１の開き及び閉じに連係して又はその反対に連係して流体ポートを開き及び閉じるために用いられてもよい。
【００３７】
前記したように同一又は同等のレバーアーム機構に依存する作動機構のために用いられる他の多くの構造的形状がある。作動機構の代替の実施例の具体例を、図８から図１７に示す。図６、図７から参照するに、作動機構１００は、ネジ１１４のような適当な留め具で本体側壁の一端で本体の側壁１０２に取り付けられて示された本体の側壁とは別の部品である。前記機構は、中央レバーアーム１０８と該中央レバーアームに一体的に結合された２つの対向するバネアーム１０７及び１０９とを形成する１つのＵ字状のスロット１０６（板１０４を貫通して形成された。）を含むバネ鋼のような弾性材料からなる１つの板１０４を含む。Ｕ字状のスロット１０６の閉端部の位置にあるレバーアーム１０８の端部は作動部分１１０を形成し、板１０４の上昇部分１１２は反対の板１０４の自由端の位置にある。ネジ１１４は、作動部分１１０に近接する板１０４の端部を側壁１０２に取り付ける。これは、板１０４の反対の端部を、作動機構の作動によって静止の留め位置から離されて非留め位置へ上昇される自由端にしておく。留めピン７６は、上方部分１１２に支持され、前記したように近接部材を留めるように内方に伸びる。側壁１０２は開口１１６を有し、該開口の一端は支点１１８として機能する。板１０４は、レバーアームが作動時に開口１１６内へ運動するような位置にレバーアーム１０８の作動部分１１０があるように、側壁１０２に取り付けられている。
【００３８】
図９に示すように、作動部分１１０が矢印Ａの方向に運動されたとき、板１０４の上昇部分１１２は矢印Ｂで表された反対方向に運動することが理解される。留めピン７６又は同等の係合構造は、作動機構が静止位置にあるときアクチュエータに対して留められる部材と係合関係になるように側壁を経て伸びる。
【００３９】
図１０に、側壁１０２の開口１１６以外は、図８、図９に示す構造と同様の代替の実施例を示す。図１０に示す実施例において、作動機構１１０は側壁１０２の面から離れるように外方に曲げられている。作動部分１１０が矢印Ａの方向に押されたとき、上昇部分１１２は、留めピン７６を留め位置外へ上昇させるように矢印Ｂの方向に運動される。この側壁１０２は、図１０に示す実施例において、レバーアーム１０８のための支点として機能する。
【００４０】
図１１は、支点１１７がレバーアーム１０８の下方の側壁１０２に追加されることにおいて図１０と同様の実施例である。支点の位置をレバーアームに対して相対的に変化させることによって、上昇部分１１２を上昇させるために必要な力の量と留めピン７６が移動する距離とが変化することが理解される。また、板１０４を作るために用いられる材料、板の厚さ及び対向するバネアームの厚さを変化させることによって、上昇部分を上昇させるために必要な力の量を変化させることができる。
【００４１】
図１２、図１３に、本発明の概念に従って単一のレバーアームとバネアームとを統合する作動機構のさらに他の実施例を示す。図１２、図１３に示す実施例は、図８、図９に示す実施例と同様である。
【００４２】
機構内の材料特性を変化させれば、作動機構の動作特性及び機能特性が変化する。例えば、上昇部分を静止位置外へ上昇させるために必要な力は、対向するバネアームに対する中央レバーアームの相対的な厚さ及び／又は曲げ強度又は特性を変化させることによって、変化させることができる。この特徴の一例として、前記機構がバネ鋼から作られているとき、該バネ鋼は中央レバーアームとバネアームとの間に特異性質を有することができる。これは、これらの構造的コンポーネントの偏奇強度を相対的に変化させる。
【００４３】
図１４に、今説明した原理を示す代替の実施例を示す。図１４において、中央レバーアーム１２０は、２つの近接する外バネアーム１２２及び１２４より相対的に細い。この場合に、中央レバーアーム１２０の厚さは、バネアーム１２２及び１２４の厚さより大であるように形成することができる。選択的に、レバーアーム１２０の曲げ特性は、前記したように特異性質で変更することができる。これらの変更がなければ、図１４に示す実施例は、作動部分に作用される力によって同様に容易にねじられる。しかし、バネアームの相対的な幅を変化させること又は相対的な曲げ特性を変化させることによって、偏奇抗力、すなわち、作動機構の作動をもたらすように作動部分を内方に運動させるために必要な力の量が変化する。図１４に示す例において、抗力すなわちバネ力の量は、典型的には、図８に示す作動機構の場合と比べて大きい。
【００４４】
図１５において、中央レバーアーム１２６は、本体の側壁１０２の下の面にネジ１１４で固定されている。側壁１０２は、作動機構の端部１３０が開口１２８内へ内方に運動するように配置された開口１２８を有する。この場合において、端部１３０は、前記機構の作動部分になる。端部１３０が側壁の方へ内方に押されたとき、前記機構の反対端部に位置する上昇部分１３２はブレードからピン７６を解くように外方に運動する。バネアーム１３４及び１３６は偏奇抗力を与える。
【００４５】
複動機構を、本発明の多くの種々の実施例の１つとして図１６に示す。図１６に、作動機構１５０は、一対のネジ１１４で側壁１０２に取り付けられた別個の単一片として示される。一対の開口１５２及び１５４はそれぞれ各作動機構の両端の下の側壁１０２内の所定の位置に形成されている。支点部材１５６が、開口１５２と開口１５４との間に形成されている。この構造によって、中央レバーアーム１５５の各端部は作動部分として用いられる。したがって、図１７の矢印Ａの方向に中央レバーアーム１５５が作動部分１５８の位置で押されたとき、上昇部分１６０は、中央レバーアームが支点１５６で揺動するとき、留め位置外へ運動する。これは、前記したように、留めピン７６をブレードの係合から解く。外バネアーム１６２及び１６４は、この運動に偏奇抗力を与える。参照番号１６０が付された中央レバーアーム１５５の端部が、図１７の矢印Ｃの方向に下の開口１５２内へ内方に押されることが理解される。これにより、結果として、１５８が付された中央レバーアームの端部が反対方向すなわち図１７の矢印Ｄの方向に運動し、留めピン１６６をブレードから解く。再び、外バネアーム１６２及び１６４はこの運動に抵抗し、中央レバーアームに作用される圧力が解かれたとき前記機構を通常の留め位置に戻す。
【００４６】
最後に、本発明の他の実施例を図１８、図１９に示す。この例では、バネアームがねじれ型又はねじればり型のバネ機構を形成する。図１８を参照するに、作動機構１７０は、対向するＵ字状の一対の貫通部１７２及び１７４によって形成され、該貫通部は、互いに離隔し、該貫通部の両端部間に対向するバネアーム１７６及び１７８を形成する。Ｕ字状の貫通部は、それぞれ１８２及び１８４と付された対向する端部を有する中央レバーアーム１８０を形成する。開口１８６が中央レバーアーム１８０の下方の側壁１０２に形成され、留めピン７６及び１６６がレバーアームの両端に支持されている。
【００４７】
図１９を参照するに、中央レバーアーム１８０の端部１９２に矢印Ａの方向に作用された圧力が端部１８４を反対方向（矢印Ｂの方向）に運動させることが理解される。同様に、反対方向（例えば、矢印Ｃの方向）への端部１８４の運動は、端部１８２を側壁１０２から離れるように（矢印Ｄの方向に）運動させる。いずれの場合においても、対向する両バネアーム１７６及び１７８は、中央レバーアームに作用された圧力が解かれたとき、作動機構を通常の留め位置に戻るように作用するように、ねじりバネ又はねじればり型バネとして機能する。前記機構の反発力特性が、バネアームの断面形状やバネアームの寸法及び前記機構を作るために用いられる材料のような要因によって広範囲に変化することは、当業者であれば容易に理解される。
【００４８】
図１８、図１９に示すねじれ作動機構は、該機構が「逆転される」ように変更してもよい。これは、中央レバーアームの両端を端部１８２及び１８４の位置で動かないように側壁に例えばネジで固定することによってなされる。この例において、作動機構の外方部分すなわちＵ字状の貫通部の外方の部分は留め位置内へ及び留め位置外へ運動する。
【００４９】
前記したように、本発明に係るアクチュエータは、いかなる特定の構造又はラッチ状態の種類又は他の構造にも限定されない。アクチュエータは、例えば、一方の構造を他方に対して相対的に選択的に係合することを必要とするほとんどあらゆる装置において用いることができる。アクチュエータは、カメラ、楽器、火器、エンジン、刃物及びコンピュータに用いることができる。説明したように、前記機構は、流体の流れを正確に制御するための弁すなわちバルブとして用いてもよい。同様に、前記機構は、回路及び同様のものを開閉するために電気スイッチ又はリレーに用いることもできる。これらのいくつかの例は図示のみの形態で示されており、本発明の範囲及び本発明が用いられる応用のいずれも制限されるものではない。
【００５０】
さらに他の例として、本発明に係る作動機構は、多くの種々の装置において有用な留め具を形成するために用いてもよい。図２０から図２２を参照するに、アクチュエータ２００は、１つの部材２０２であって該部材を貫通する一対のスロット２０４及び２０６を有する部材２０２を含む。スロット２０４及び２０６は、部材２０２の長さの一部のみを伸ばし、中央レバーアーム２０８と、対向するバネアーム２１０、２１２とを形成する。図２０、図２２によく示すように、中央レバーアーム２０８は領域２１４で下方に曲げられている。バネアーム２１０及び２１２は、同様に、領域２１４に対して相対的に側方に配置された２１６で下方に曲げられている。バネアーム２１０及び２１２の各外端部は、下構造２１８にネジ２２０で留められている。領域２１４の外方の中央レバーアーム２０８の端部は、後方に徐々に上方に曲げられ、端部２２２で止まる。側面図において、中央レバーアーム２０８の曲げ部分は、図２０、図２２に示されるように、Ｓ字形セクションを形成する。端部２２２とは反対の部材２０２の端部は、タブ２２４を形成するように下方に曲げられている。
【００５１】
アクチュエータ２００が図２１に示すように下構造２１８に留められたとき、領域２１４の近くの中央レバーアーム２０８の部分は２１８の表面に接触して静止し、同様に、タブ２２４は２１８の表面で静止することが理解される。構造２１８に接する中央レバーアーム２０８の部分は支点として機能する。バネアーム２１０及び２１２によって与えられた偏奇抗力は、図２２に矢印Ａで示す方向に端部２２２に力が作用されるまで、タブ２２４を構造２１８の表面に押しつけ、この方向づけを維持する。そのような力による押しの下で、タブ２２４は矢印Ｂで示す方向に運動し、バネアーム２１０及び２１２はこの運動に対して偏奇抗力を与える。結果として、アクチュエータ２００は、一方の部材を他方の部材に取り付けるために用いられる留め具、例えば、ナイフを鞘内に固定するため及び同様の用途のための留め具として機能する。
【００５２】
前記した各実施例から、本発明に係るアクチュエータの上昇端がその静止位置から作動位置内へ運動されたとき、中央レバーアームの反対側の端部もまた運動することは、容易に理解される。したがって、レバーアームの作動端は、他の構造に及ぼされる働きを完遂するように適当なリンク機構を介して結合されてもよい。
【００５３】
本発明の原理が適用又は応用されると考えられる実施例は多数あることから、詳しく述べた前記実施例は例示のみのためであると認識されるべきであり、本発明の範囲を限定するものとして理解されるべきではない。特許請求の範囲に記載の発明の範囲及び意義並びにこれらと同等なものの範囲内にあるようなすべての実施例について本発明として主張する。
【００５４】
図面及び図面の簡単な説明に関して、添付の図面と関連して本発明についての以上の詳細な説明を参照することによって、本発明がよりよく理解され、また、本発明の多くの目的もしくは課題及び利点が明らかになろう。本発明が、特定のタイプの装置への使用又は利用に限定されるものではなく、それどころか、作動ラッチ又は作動機構を必要とするあらゆる状況において有用であることは、当業者であれば容易に理解することができる。しかし、本発明を十分に説明し、本発明の特徴及び利点を例示するために、本発明に係る構造上の基本的な特徴が利用される特定の構造を参照して本発明の説明がなされている。
【図面の簡単な説明】
【００５５】
【図１】本発明を例示する装置の斜視図であり、アクチュエータを支持する本体内に部材が滑動可能に支持されている。
【図２】図１に示す装置の斜視図であり、本体半分間に形成されたスロットに滑動部材が受け入れられる閉位置に滑動部材があることを示す。
【図３】図１に示す装置の分解斜視図。
【図４】図１の線４−４に沿って得られた、上方から見た部分側断面図。
【図５】図４に示す装置の、図４の線５−５に沿って得られた側面図であり、滑動部材を露出するために本体半分対の一方が取り除かれており、滑動部材について、実線で示す伸張位置にある場合と、想像線で示す引き込み位置にある場合とを示す。
【図６】本発明に係る、ポートを経る流体の流れを制御するために用いられるアクチュエータの平面図。
【図７】図６に示すアクチュエータの、図６の線７−７に沿って得られた側面図。
【図８】本発明に係る作動機構の代替実施例を示す平面図。
【図９】図８の線９−９に沿って得られた部分側断面図。
【図１０】本発明に係る作動機構の他の代替実施例を示す部分側断面図。
【図１１】本発明に係る作動機構のさらに他の代替実施例を示す部分側断面図。
【図１２】本発明に係る作動機構のさらに他の代替実施例を示す平面図。
【図１３】図１２の線１３−１３に沿って得られた部分側断面図。
【図１４】他の代替実施例を示す平面図であり、作動機構の偏奇抗力を変化させるために作動機構のバネアームの幅が変化されている。
【図１５】本発明に係る作動機構のさらに他の代替実施例を示す平面図。
【図１６】本発明に係る作動機構のさらに他の代替実施例を示す平面図。
【図１７】図１６の線１７−１７に沿って得られた部分側断面図。
【図１８】本発明に係るアクチュエータの他の代替実施例を示すさらに他の平面図。
【図１９】図１８の線１９−１９に沿って得られた部分側断面図。
【図２０】本発明に係るアクチュエータの他の代替実施例を示す斜視図。
【図２１】ある面に取り付けられた、図２０に示す実施例を示す平面図。
【図２２】図２０に示す機構の側面図。
【符号の説明】
【００５６】
１０  アクチュエータ
１２  本体
１４  滑動部材
１６、１８  側壁
２０  背部
２２  内板
２６  ネジ
２４、２８  肩部
２７、３２  スロット
３０  つまみ
６０  作動機構
６２  内スロット
６４  外スロット
６６  中央レバーアーム
６８、７０  バネアーム
７２  上昇部分
７４  作動部分
７６  留めピン
７８  開口
【図１】
2005510664.tif 000003
【図２】
2005510664.tif 000004
【図４】
2005510664.tif 000005
【図５】
2005510664.tif 000006
【図３】
2005510664.tif 000007
【図６】
2005510664.tif 000008
【図７】
2005510664.tif 000009
【図８】
2005510664.tif 000010
【図９】
2005510664.tif 000011
【図１０】
2005510664.tif 000012
【図１１】
2005510664.tif 000013
【図１２】
2005510664.tif 000014
【図１３】
2005510664.tif 000015
【図１４】
2005510664.tif 000016
【図１５】
2005510664.tif 000017
【図１６】
2005510664.tif 000018
【図１７】
2005510664.tif 000019
【図１８】
2005510664.tif 000020
【図１９】
2005510664.tif 000021
【図２０】
2005510664.tif 000022
【図２１】
2005510664.tif 000023
【図２２】
2005510664.tif 000024